(57)【要約】【課題】  衣服に糸で縫いつける形のボタンに、芳香効果を付加した芳香除放性ボタンを提供する。【解決手段】  衣服等に糸を用いて装着するボタンにおいて、ボタン本体に１又は複数の窪み又は溝を穿設し、該窪み又は溝に固形体又は半固形体の芳香材を充填し、あるいは芳香液を担持させたスポンジ、綿等の多孔質素材を装填する。  また、衣服等に糸を用いて装着するボタンにおいて、その上面にリング状のＵ字形溝を穿設し、該Ｕ字形溝に固形体又は半固形体の芳香剤を充填し、あるいは芳香液が担持されたスポンジ、綿等の多孔質素材を装填たリング状容器を着脱自在に嵌入する。【選択図】  図１
2005334486.tif 000002
【特許請求の範囲】
【請求項１】
衣服等に糸を用いて装着するボタンにおいて、ボタン本体に１又は複数の窪み又は溝を穿設し、該窪み又は溝に徐放性の芳香材を充填してなることを特徴とする芳香徐放性ボタン。
【請求項２】
衣服等に糸を用いて装着するボタンにおいて、その上面にリング状のＵ字形溝を穿設し、該Ｕ字形溝に徐放性の芳香材を充填したリング状容器を着脱自在に嵌入してなることを特徴とする芳香徐放性ボタン。
【請求項３】
徐放性の芳香材が、固形体・半固形体又は芳香液が担持されたスポンジ、綿等の多孔質素材であることを特徴とする請求項１又は２に記載の芳香徐放性ボタン。
【請求項４】
前記スポンジ、綿等の多孔質素材が、スポイド等で芳香液を含浸されてなることを特徴とする請求項３に記載の芳香徐放性ボタン。
【請求項５】
ボタン本体に穿設された窪み又は溝が、ボタンの糸孔であることを特徴とする請求項１、３又は４のいずれか１項に記載の芳香徐放性ボタン。
【請求項６】
ボタン本体に穿設された窪み又は溝が、開口部より内側が拡がった形状をなしていることを特徴とする請求項１、３〜５のいずれか１項に記載の芳香徐放性ボタン。
【請求項７】
ボタン本体に穿設された窪み又は溝が、多数の小孔を穿設した蓋を備えてなることを特徴とする請求項１、３〜６のいずれか１項に記載の芳香徐放性ボタン。
【請求項８】
ボタン本体に穿設されたリング状のＵ字形溝に嵌入されたリング状容器が、多数の小孔を穿設した上蓋を備えてなることを特徴とする請求項２〜４のいずれか１項に記載の芳香徐放性ボタン。
【請求項９】
前記リング状容器複数個それぞれに異なる香りの芳香材が充填され、あるいは異なる芳香液を含浸させたスポンジ、綿等の保液性素材が装填され、これら複数のリング状容器のいずれか１つを適宜選択して、ボタン上面に穿設されたリング状のＵ字形溝に嵌入して使用可能に構成されてなることを特徴とする請求項２〜４、８のいずれか１項に記載の芳香徐放性ボタン。
【請求項１０】
衣服等に糸を用いて装着するボタンにおいて、その側面に複数の穴を穿設し、該穴に固形の芳香材を挿入してなることを特徴とする芳香徐放性ボタン。
【請求項１１】
芳香徐放性ボタンが、布等通気性を有するカバーで覆われてなることを特徴とする請求項１〜１０のいずれか１項に記載の芳香徐放性ボタン。
【発明の詳細な説明】
【技術分野】
【０００１】
本発明は、芳香徐放性ボタンに関する。
【背景技術】
【０００２】
芳香性物質の持つ覚醒、催眠、鎮静作用が人々にリフレッシュ感やリラクセーションを与え、作業能率を向上させたり、ストレスの解消に役立ったりするとされ、様々な分野で芳香性物質が使用されている。身近なものに限っても、整髪剤、化粧品、洗剤、入浴剤、などに芳香を発するものが見られ、また芳香を消臭に利用した消臭剤もある。室内にポプリをおき、着物に香を焚きしめ、懐に匂い袋を忍ばせるなどといったことや、青葉の香りを嗅ぐ森林浴も香りの効用を受容する行動の一端を表すものといえよう。
このような香りの効用を活用するものの一つに芳香を発するボタンがあり、これまでにも特開平６−１２１７０３号公報記載の針部を有するピンねじにナットを螺合して洋服に装着するボタンの前記ピンねじに設けたボタンヘッドに香り部を内蔵させたもの、あるいは実開平７−３０７１８号公報記載の香り発生器としての取り替え式ボタン、実開平３−９２３２７号公報記載の木や木の実をボタンに形成加工した後香料を浸漬し、さらに高分子化合物等の薄膜溶剤をコーティングしたものなどが知られている。
【特許文献１】特開平６−１２１７０３号公報
【特許文献２】実開平７−３０７１８号公報
【特許文献３】実開平３−９２３２７号公報
【発明の開示】
【発明が解決しようとする課題】
【０００３】
本発明が解決しようとする課題は、衣服に糸で縫いつける形のボタンに、芳香効果を付加した芳香徐放性ボタンを提供することにある。
【課題を解決するための手段】
【０００４】
本発明者は上記課題を下記手段により解決した。
（１）衣服等に糸を用いて装着するボタンにおいて、ボタン本体に１又は複数の窪み又は溝を穿設し、該窪み又は溝に徐放性の芳香材を充填してなることを特徴とする芳香徐放性ボタン。
（２）衣服等に糸を用いて装着するボタンにおいて、その上面にリング状のＵ字形溝を穿設し、該Ｕ字形溝に徐放性の芳香材を充填したリング状容器を着脱自在に嵌入してなることを特徴とする芳香徐放性ボタン。
（３）徐放性の芳香材が、固形体・半固形体又は芳香液が担持されたスポンジ、綿等の多孔質素材であることを特徴とする前項（１）又は（２）に記載の芳香徐放性ボタン。
（４）前記スポンジ、綿等の多孔質素材が、スポイド等で芳香液を含浸されてなることを特徴とする前項（３）に記載の芳香徐放性ボタン。
【０００５】
（５）ボタン本体に穿設された窪み又は溝が、ボタンの糸孔であることを特徴とする前項（１）、（３）又は（４）のいずれか１項に記載の芳香徐放性ボタン。
（６）ボタン本体に穿設された窪み又は溝が、開口部より内側が拡がった形状をなしていることを特徴とする前項（１）、（３）〜（５）のいずれか１項に記載の芳香徐放性ボタン。
（７）ボタン本体に穿設された窪み又は溝が、多数の小孔を穿設した蓋を備えてなることを特徴とする前項（１）、（３）〜（６）のいずれか１項に記載の芳香徐放性ボタン。
【０００６】
（８）ボタン本体に穿設されたリング状のＵ字形溝に嵌入されたリング状容器が、多数の小孔を穿設した上蓋を備えてなることを特徴とする前項（２）〜（４）のいずれか１項に記載の芳香徐放性ボタン。
（９）前記リング状容器複数個それぞれに異なる香りの芳香材が充填され、あるいは異なる芳香液を含浸させたスポンジ、綿等の保液性素材が装填され、これら複数のリング状容器のいずれか１つを適宜選択して、ボタン上面に穿設されたリング状のＵ字形溝に嵌入して使用可能に構成されてなることを特徴とする前項（２）〜（４）、（８）のいずれか１項に記載の芳香徐放性ボタン。
【０００７】
（１０）衣服等に糸を用いて装着するボタンにおいて、その側面に複数の穴を穿設し、該穴に固形の芳香材を挿入してなることを特徴とする芳香徐放性ボタン。
（１１）芳香徐放性ボタンが、布等通気性を有するカバーで覆われてなることを特徴とする前項（１）〜（１０）のいずれか１項に記載の芳香徐放性ボタン。
【発明の効果】
【０００８】
本発明により下記の効果が発揮される。
（ア）芳香徐放性ボタンから発する芳香が嗅覚を刺激して覚醒、催眠、鎮静などの作用を生じ、リフレッシュ感の醸成、ストレスの解消、気分転換による作業能率向上等に役立つ。
（イ）芳香徐放性ボタンから発する芳香のリラクセーション効果により、雰囲気を和らげ、良好な対人関係の醸成、維持に役立つ。
（ウ）芳香徐放性ボタンに充填した芳香材の芳香が体臭を軽減させ、他人に与える不快感をなくして良好な対人関係の醸成、維持に役立つ。
（エ）芳香徐放性ボタンに防虫効果を有する芳香材を充填すれば、クローゼット等へ収納して衣服を保存する場合、場所を取ることなく、優れた防虫効果を得ることができる。
【０００９】
（オ）芳香徐放性ボタンに穿設された窪み又は溝に装填され、あるいは芳香徐放性ボタンの上面にリング状に穿設されたＵ字形溝に嵌入されるリング状容器に装填されたスポンジ、綿等の多孔質素材への芳香液の含浸がスポイド等で行えるので、芳香効果が希薄になった場合も、芳香液を補填することによって芳香効果を回復することができる。
【００１０】
（カ）芳香徐放性ボタンの上面に穿設したリング状のＵ字形溝に嵌入するリング状容器を着脱自在に構成したので、複数のリング状容器にそれぞれに異なる香りの芳香材を充填し、あるいは異なる芳香液を含浸させたスポンジ、綿等の多孔質素材を装填し、これら複数のリング状容器のいずれか１つを選択嵌入することにより、本芳香徐放性ボタンが装着された洋服等に、着用時間帯、場所、場面等に適合した香りを持たせることがきる。
【００１１】
（キ）芳香徐放性ボタンの上面に穿設した窪み又は溝を開口部より内側が拡がった構造としたことにより、前記窪み又は溝に充填した芳香材、あるいは装填した芳香液を含浸させたスポンジ、綿等の保液素材の脱落を防止することができる。
（ク）芳香徐放性ボタンの上面に穿設した窪み又は溝、あるいは芳香徐放性ボタンの上面に穿設したリング状のＵ字形溝に嵌入するリング状容器に多数の小孔を穿設した上蓋を備えることにより、前記窪み又は溝に充填した芳香材又は消臭剤、あるいはリング状容器に装填されたスポンジ、綿等の芳香液又は消臭液が衣服に触れて衣服を汚すのを防止することができ、また前記芳香材、あるいは芳香液を含浸させたスポンジ、綿等の多孔質素材の脱落を防止することができる。
【００１２】
（ケ）ボタンの側面に穿設した多数の穴に固形体の芳香材を挿入して芳香徐放性ボタンを構成することにより、ボタン上面形状を従来のボタンと同一にでき、芳香徐放性ボタンと従来のボタンとの混用が可能になる。
（コ）芳香徐放性ボタンを布等通気性を有するカバーで覆うことにより、各種デザインの服飾性に富んだ芳香徐放性ボタンが提供できる。
【発明を実施するための最良の形態】
【００１３】
本発明の実施の形態を実施例の図に基づいて説明する。
図１は上面に徐放性の芳香材が充填された複数のＵ字形溝を有するボタンの構成図、図２は上面に徐放性の芳香材が充填された開口部より内部が拡がった複数の溝を有するボタンの構成図、図３は上面に徐放性の芳香材が充填されたリング状容器を嵌入するリング状のＵ字形溝を有するボタンの構成図、図４は側面に徐放性の芳香材を充填する複数の穴を有するボタンの構成図である。
図において１はボタン、２は糸穴、３は窪み又は溝、４は芳香材、あるいは芳香液が担持されたスポンジ、綿等の多孔質素材、５はリング状Ｕ字形溝、６はリング状容器、７は多数の小孔を有する上蓋、８は側面に穿設した穴、９は芳香材である。
【実施例１】
【００１４】
本発明の第１の実施例は、図１に示すように、中央に糸孔２を有するボタン１の上面に複数個のＵ字形の溝３が穿設され、その溝３に固形体又は半固形体の芳香材４が充填されたものである。
図１では固形体又は半固形体の芳香材４が充填される箇所を４個のＵ字形の溝３としたが、その数はいくつであってもよく、また多数の半球状又は円柱形状の窪みであってもよく、さらにはリング状に連なった１つのＵ字形溝であってもよい。
さらにまた、４つの糸孔２を持つボタン１にあっては、４つの糸孔２のうち２個を前記窪み３とし、ここに芳香材４を充填したものであってもよい。
なお、開口部の長い溝３の場合には、図示しない多数の小孔を有する上蓋を取り付けることも好ましい。
【実施例２】
【００１５】
本発明の第２の実施例は、図１に示すように、中央に糸孔２を有するボタン１の上面に複数個のＵ字形の溝３が穿設され、その溝３に芳香液が担持されたスポンジや綿等の多孔質素材４が装填されたものである。
図１では芳香液が担持されたスポンジや綿等の多孔質素材４が装填される箇所を４個のＵ字形の溝３としたが、その数はいくつであってもよく、また多数の半球状又は円柱形状の窪みであってもよく、さらにはリング状に連なった１つのＵ字形溝であってもよい。
さらにまた、４つの糸孔２を持つボタン１にあっては、４つの糸孔２のうち２個を前記窪み３とし、ここに芳香液が担持されたスポンジや綿等の多孔質素材４を装填したものであってもよい。
なお、開口部の長い溝３の場合には、図示しない多数の小孔を有する上蓋を取り付けることも好ましい。
【実施例３】
【００１６】
本発明の第３の実施例は、図２に示すように、中央に糸孔２を有するボタン１の上面に複数個の開口部より内側が拡がった溝３が穿設され、その溝３に固形又は半固形の芳香材４が充填されたものである。
図２では芳香材４が充填される箇所を４個の溝３としたが、その数はいくつであってもよく、また多数の球状の窪みであってもよく、さらにはリング状に連なった開口部より内側が拡がった１つの溝であってもよい。
なお、開口部の長い溝３の場合には、図示しない多数の小孔を有する上蓋を取り付けることも好ましい。
【実施例４】
【００１７】
本発明の第４の実施例は、図２に示すように、中央に糸孔２を有するボタン１の上面に複数個の開口部より内側が拡がった溝３が穿設され、その溝３に芳香液が担持されたスポンジや綿等の多孔質素材４が装填されたものである。
図２では芳香液が担持されたスポンジや綿等の多孔質素材４が装填される箇所を４個の開口部より内側が拡がった溝３としたが、その数はいくつであってもよく、また多数の球状の窪みであってもよく、さらにリング状に連なった開口部より内側が拡がった１つの溝であってもよい。
なお、開口部の長い溝３の場合には、図示しない多数の小孔を有する上蓋を取り付けることも好ましい。
【実施例５】
【００１８】
本発明の第５の実施例は、図３に示すように、中央に糸孔２を有するボタン１の上面にリング状のＵ字形溝５が穿設され、そのリング状のＵ字形溝５に固形体又は半固形体の芳香材４が充填され、多数の小孔を有する上蓋７を備えたリング状容器６が嵌入されて構成されたものである。
前記リング状容器６は、着脱自在に嵌入されているので、前記リング状容器６複数個にそれぞれ異なる香りの固形体又は半固形体の芳香材４を充填しておき、これら複数のリング状容器６のいずれか一つを適宜選択して嵌入装填し、本芳香徐放性ボタン１の装着された洋服等を着用時間帯、場所、場面等に適応した香りに変化させられるようにしておくことも好ましい。
【実施例６】
【００１９】
本発明の第６の実施例は、図３に示すように、中央に糸孔２を有するボタン１の上面にリング状のＵ字形溝５が穿設され、そのリング状のＵ字形溝５に芳香液が担持されたスポンジや綿等の多孔質素材４が装填され、多数の小孔を有する上蓋７を備えたリング状の容器６が嵌入されて構成されたものである。
前記リング状容器６は、着脱自在に嵌入されているので、前記リング状容器６複数個にそれぞれ異なる香りの芳香液が担持されたスポンジ、綿等の多孔質素材４を装填しておき、これら複数のリング状容器６のいずれか一つを適宜選択することにより、本芳香徐放性ボタン１の装着された洋服等を着用時間帯、場所、場面等に適応した香りに変化させられるようにしておくことも好ましい。
【実施例７】
【００２０】
本発明の第７の実施例は、図４に示すように、中央に糸孔２を有するボタン１の側面に多数の穴８を穿設し、前記穴８に固形の芳香材９を充填したものである。
芳香材４をボタン１の側面に充填したことにより、ボタン１の上面形状が従来のボタンと同一にでき、従来ボタンとの混用が可能になる。
【実施例８】
【００２１】
本発明の第８の実施例は、前記実施例１〜７に示した各芳香徐放性ボタンを布等通気性を有するカバーで覆ったものである。カバーの素材、彩色、織り等の選択によって、多様なデザインの服飾性に富んだ芳香徐放性ボタンが構成できる。
【００２２】
本発明の芳香徐放性ボタンに使用する芳香材としては、例えばペパーミント、プチグレイン、シトロネラ、スペアミント、ライム、マンダリン等の気分をリフレッシュさせる香料、安息香、ゼラニウム、乳香、白檀、マジョラム、ラベンダー、ラバンディン等のリラックスさせる香料、フェンネル、カルダモン、クラリーセージ、ブラックペッパー、ジュニパー、パチュリー、ヒソップ、メリッサ、没薬、コリアンダー、アンジエリカルート、スターアニス、タラゴン、サッサフラス等の活力溢れる気分にさせる香料、イランイラン、ビターオレンジ、ジャスミン、ダマスクローズ、チャイナローズ、ブチバー、チュベローズ、バイオレットリーフ、アーモンドビター、バニラ、バルサム等の気分を高めムードづくりに役立つ香料、バジル、ローズマリー、ローレル等の集中力向上に役立つ香料、サイプレス、カンファー、ベルガモット、ユーカリ、ローズウッド、ニアウリ、シダーリーフ、シナモンリーフ等のエアフレッシュ効果を有する香料、さらにはカラマスルート、オリスルート、グリーンハーブ、フローラルなどの香料が上げられる。
なお、前記カンファー（樟脳）等の防虫効果を有する芳香材を充填しておけば、洋服をクローゼット等に収納して保存する場合など、防虫効果も期待できる。
また、パジャマ等の寝間着用や布団カバーの装着用の芳香徐放性ボタンには、スイートオレンジ、ジャーマンカモマイル、ローマンカモマイル、リンデン等の心地よい眠りを誘う香料を使用するとよい。
さらに、ヒノキチオール、ヒバオイル、月桃オイル、ペニーロイヤル、レモングラス、レモン、スパイクラベンダー、ナツメグ、オレファノ、セージ、ジンジャー、セーボリー、タイム、オールスパイス、シダーウッド、シナモンバーク、クローブバッズ、カユブテ、パイン、ティートゥリなどの抗菌性香料を使用すれば、芳香のほかに抗菌性も付与することができる。
【産業上の利用可能性】
【００２３】
本発明の芳香徐放性ボタンは、洋服に使用するばかりでなく、布団カバー装着用、布製の手提げ袋の口止め用等にも活用でき、さらにはボタン状の室内装飾用品への応用も可能である。
【図面の簡単な説明】
【００２４】
【図１】上面に徐放性の芳香材が充填された複数のＵ字形溝を有するボタンの構成図
【図２】上面に徐放性の芳香材が充填された開口部より内部が拡がった複数の溝を有するボタンの構成図
【図３】上面に徐放性の芳香材が充填されたリング状容器を嵌入するリング状のＵ字形溝を有するボタンの構成図
【図４】側面に徐放性の芳香材を充填する複数の穴を有するボタンの構成図
【符号の説明】
【００２５】
１：ボタン
２：糸穴
３：窪み又は溝
４：芳香材、あるいは芳香液が担持されたスポンジ、綿等の多孔質素材
５：リング状Ｕ字形溝
６：リング状容器
７：多数の小孔を有する上蓋
８：側面に穿設した穴
９：芳香材
【図１】
2005334486.tif 000003
【図２】
2005334486.tif 000004
【図３】
2005334486.tif 000005
【図４】
2005334486.tif 000006